(57)【特許請求の範囲】
【請求項１】
ウェアラブルデバイスによってブロードキャストされる、前記ウェアラブルデバイスに対応するデバイス識別子を含む作動モード設定情報を受信するステップと、
前記デバイス識別子に対応する作動パラメータを取得するステップと、
前記作動パラメータに基づいて作動するステップと、
を含み、
前記デバイス識別子に対応する作動パラメータを取得するステップは、
前記ウェアラブルデバイスが予め定められた範囲内に位置することの決定に応答して、前記デバイス識別子に対応する前記作動パラメータを取得するステップ、
を含むデバイス制御方法。
【請求項２】
前記デバイス識別子に対応する作動パラメータを取得するステップは、
前記デバイス識別子に対応する前記作動パラメータを、関係付けられるウェアラブルデバイスのデバイス識別子と作動パラメータとの対応が記録されている既定の関連関係テーブルから取得するステップ、
を含む請求項１に記載のデバイス制御方法。
【請求項３】
ウェアラブルデバイスと関連関係を構築するステップと、
関係付けられる前記ウェアラブルデバイスの前記デバイス識別子と前記作動パラメータを取得するステップと、
前記関連関係テーブルに前記デバイス識別子と前記作動パラメータを保存するステップと、
を更に含む請求項２に記載のデバイス制御方法。
【請求項４】
前記デバイス識別子に対応する作動パラメータを取得するステップは、
前記作動モード設定情報から前記デバイス識別子に対応する前記作動パラメータを取得するステップ、
を含む請求項１に記載のデバイス制御方法。
【請求項５】
前記デバイス識別子に対応する作動パラメータを取得するステップは、
前記ウェアラブルデバイスが前記デバイス識別子に基づいて関係付けられたデバイスであることの決定に応答して、前記デバイス識別子に対応する前記作動パラメータを取得するステップ、
を含む請求項１に記載のデバイス制御方法。
【請求項６】
ウェアラブルデバイスによってブロードキャストされる、前記ウェアラブルデバイスに対応するデバイス識別子を含む作動モード設定情報を受信するように構成される受信ユニットと、
前記受信ユニットによって受信される前記デバイス識別子に対応する作動パラメータを取得するように構成される取得ユニットと、
前記取得ユニットによって取得される前記作動パラメータに基づいて作動するように構成される作動ユニットと、
を含み、
前記取得ユニットは、
前記ウェアラブルデバイスが予め定められた範囲内に位置することの決定に応答して、前記受信ユニットによって受信される前記デバイス識別子に対応する前記作動パラメータを取得するように構成される第４取得サブユニット、
を含むデバイス制御装置。
【請求項７】
前記取得ユニットは、
前記受信ユニットによって受信される前記デバイス識別子に対応する前記作動パラメータを、関係付けられるウェアラブルデバイスのデバイス識別子と作動パラメータとの対応が記録されている既定の関連関係テーブルから取得するように構成される第１取得サブユニット、
を含む請求項６に記載のデバイス制御装置。
【請求項８】
前記取得ユニットは、更に、
ウェアラブルデバイスと関連関係を構築するように構成される構築サブユニットと、
関係付けられる前記ウェアラブルデバイスの前記デバイス識別子と前記作動パラメータを取得し、前記関連関係テーブルに前記デバイス識別子と前記作動パラメータを保存するように構成される保存サブユニットと、
を含む請求項７に記載のデバイス制御装置。
【請求項９】
前記取得ユニットは、
前記受信ユニットによって受信される前記作動モード設定情報から前記デバイス識別子に対応する前記作動パラメータを取得するように構成される第２取得サブユニット、
を含む請求項６〜８のいずれか１項に記載のデバイス制御装置。
【請求項１０】
前記取得ユニットは、
前記ウェアラブルデバイスが、前記受信ユニットによって受信される前記デバイス識別子に基づいて関係付けられたデバイスであることの決定に応答して、前記デバイス識別子に対応する前記作動パラメータを取得するように構成される第３取得サブユニット、
を含む請求項６〜９のいずれか１項に記載のデバイス制御装置。
【請求項１１】
コンピュータ上で動作する請求項１〜５のいずれか１項に記載のデバイス制御方法を前記コンピュータに実行させるためのコンピュータプログラム。
【請求項１２】
請求項１１に記載のコンピュータプログラムが記憶されるように構成されるコンピュータ読み取り可能な記憶媒体。
【請求項１３】
ウェアラブルデバイスによってブロードキャストされる、前記ウェアラブルデバイスに対応するデバイス識別子を含む作動モード設定情報を受信し、前記デバイス識別子に対応する作動パラメータを取得し、前記作動パラメータに基づいて作動するように構成され、前記ウェアラブルデバイスが予め定められた範囲内に位置することの決定に応答して、前記デバイス識別子に対応する前記作動パラメータを取得するスマートホームデバイスと、
トリガーコマンドを検出し、検出される前記トリガーコマンドに応答して、前記作動モード設定情報をブロードキャストするように構成されるウェアラブルデバイスと、
を備えるデバイス制御システム。
【発明の詳細な説明】
【技術分野】
【０００１】
［関連出願への相互参照］
本出願は、中華人民共和国国家知識産権局に対して２０１５年８月１１日に出願された出願番号２０１５１０４９１２６３．１の中国特許出願に基づき優先権を主張し、この中国特許出願の全ての内容を援用する。
【０００２】
本発明は、通信技術の分野に関し、特に、デバイス制御方法及びデバイス制御装置に関する。
【背景技術】
【０００３】
技術の発展及びユーザ要求の増大とともに様々なデバイスが出現する。エアコン、加湿器及び空気清浄器は、全ての家において欠くことのできない家庭用電気製品になっている。一般に、デバイス（例えばエアコン）の作動パラメータは、そのデバイスがユーザにとって最適なモードで作動するように、そのデバイスが使用される時、ユーザによって手動で調節されなければならず、複雑な作業と多くの不便をもたらす。
【発明の概要】
【発明が解決しようとする課題】
【０００４】
関連技術における欠点を克服するために、本開示の実施形態は、デバイス制御方法及びデバイス制御装置を提供する。
【課題を解決するための手段】
【０００５】
本開示の実施形態の第１の観点によれば、デバイス制御方法が提供される。前記デバイス制御方法は、ウェアラブルデバイスによってブロードキャストされる、前記ウェアラブルデバイスに対応するデバイス識別子を含む作動モード設定情報を受信するステップと、前記デバイス識別子に対応する作動パラメータを取得するステップと、前記作動パラメータに基づいて作動するステップと、を含み、前記デバイス識別子に対応する作動パラメータを取得するステップは、前記ウェアラブルデバイスが予め定められた範囲内に位置することの決定に応答して、前記デバイス識別子に対応する前記作動パラメータを取得するステップ、を含む。
【０００６】
或いは、前記デバイス識別子に対応する作動パラメータを取得するステップは、前記デバイス識別子に対応する前記作動パラメータを、関係付けられるウェアラブルデバイスのデバイス識別子と作動パラメータとの対応が記録されている既定の関連関係テーブルから取得するステップ、を含む。
【０００７】
或いは、前記デバイス制御方法は、ウェアラブルデバイスと関連関係を構築するステップと、関係付けられる前記ウェアラブルデバイスの前記デバイス識別子と前記作動パラメータを取得するステップと、前記関連関係テーブルに前記デバイス識別子と前記作動パラメータを保存するステップと、を更に含む。
【０００８】
或いは、前記デバイス識別子に対応する作動パラメータを取得するステップは、前記作動モード設定情報から前記デバイス識別子に対応する前記作動パラメータを取得するステップ、を含む。
【０００９】
或いは、前記デバイス識別子に対応する作動パラメータを取得するステップは、前記ウェアラブルデバイスが前記デバイス識別子に基づいて関係付けられたデバイスであることの決定に応答して、前記デバイス識別子に対応する前記作動パラメータを取得するステップ、を含む。
【００１１】
本開示の実施形態の第２の観点によれば、デバイス制御方法が提供される。トリガーコマンドを検出するステップと、検出される前記トリガーコマンドに応答して、ウェアラブルデバイスのデバイス識別子を含む作動モード設定情報をブロードキャストするステップと、を含み、前記作動モード設定情報は、デバイス識別子に対応する作動パラメータに基づいて作動するようにスマートホームデバイスを示す。
【００１２】
或いは、検出される前記トリガーコマンドに対する応答は、前記ウェアラブルデバイスが予め設定される回数だけタップされることの検出に対する応答、又は前記ウェアラブルデバイスが予め設定される回数だけ振られることの検出に対する応答、を含む。
【００１３】
或いは、前記作動モード設定情報は、前記デバイス識別子に対応する作動パラメータを更に含む。
【００１４】
本開示の実施形態の第３の観点によれば、デバイス制御装置が提供される。前記デバイス制御装置は、ウェアラブルデバイスによってブロードキャストされる、前記ウェアラブルデバイスに対応するデバイス識別子を含む作動モード設定情報を受信するように構成される受信ユニットと、前記受信ユニットによって受信される前記デバイス識別子に対応する作動パラメータを取得するように構成される取得ユニットと、前記取得ユニットによって取得される前記作動パラメータに基づいて作動するように構成される作動ユニットと、を含み、前記取得ユニットは、前記ウェアラブルデバイスが予め定められた範囲内に位置することの決定に応答して、前記受信ユニットによって受信される前記デバイス識別子に対応する前記作動パラメータを取得するように構成される第４取得サブユニット、を含む。
【００１５】
或いは、前記取得ユニットは、前記受信ユニットによって受信される前記デバイス識別子に対応する前記作動パラメータを、関係付けられるウェアラブルデバイスのデバイス識別子と作動パラメータとの対応が記録されている既定の関連関係テーブルから取得するように構成される第１取得サブユニット、を含む。
【００１６】
或いは、前記取得ユニットは、更に、ウェアラブルデバイスと関連関係を構築するように構成される構築サブユニットと、関係付けられる前記ウェアラブルデバイスの前記デバイス識別子と前記作動パラメータを取得し、前記関連関係テーブルに前記デバイス識別子と前記作動パラメータを保存するように構成される保存サブユニットと、を含む。
【００１７】
或いは、前記取得ユニットは、前記受信ユニットによって受信される前記作動モード設定情報から前記デバイス識別子に対応する前記作動パラメータを取得するように構成される第２取得サブユニット、を含む。
【００１８】
或いは、前記取得ユニットは、前記ウェアラブルデバイスが、前記受信ユニットによって受信される前記デバイス識別子に基づいて関係付けられたデバイスであることの決定に応答して、前記デバイス識別子に対応する前記作動パラメータを取得するように構成される第３取得サブユニット、を含む。
【００２０】
本開示の実施形態の第４の観点によれば、デバイス制御装置が提供される。前記デバイス制御装置は、トリガーコマンドを検出するように構成される検出ユニットと、前記検出ユニットによって検出される前記トリガーコマンドに応答して、ウェアラブルデバイスのデバイス識別子を含む作動モード設定情報をブロードキャストするように構成されるブロードキャストユニットと、を含み、前記作動モード設定情報は、前記デバイス識別子に対応する作動パラメータに基づいて作動するようにスマートホームデバイスを示す。
【００２１】
或いは、前記ブロードキャストユニットは、前記ウェアラブルデバイスが予め設定される回数だけタップされることの検出に対して応答するように構成される第１応答サブユニット、及び前記ウェアラブルデバイスが予め設定される回数だけ振られることの検出に対して応答するように構成される第２応答サブユニット、のいずれか１つを含む。
【００２２】
或いは、前記作動モード設定情報は、前記デバイス識別子に対応する作動パラメータを更に含む。
【００２３】
本開示の実施形態の第５の観点によれば、コンピュータ上で動作する前述のデバイス制御方法を前記コンピュータに実行させるためのコンピュータプログラムが提供される。
【００２４】
本開示の実施形態の第６の観点によれば、前述のコンピュータプログラムが記憶されるように構成されるコンピュータ読み取り可能な記憶媒体が提供される。
【００２５】
本開示の実施形態の第７の観点によれば、デバイス制御システムが提供される。前記デバイス制御システムは、ウェアラブルデバイスによってブロードキャストされる、前記ウェアラブルデバイスに対応するデバイス識別子を含む作動モード設定情報を受信し、前記デバイス識別子に対応する作動パラメータを取得し、前記作動パラメータに基づいて作動するように構成され、前記ウェアラブルデバイスが予め定められた範囲内に位置することの決定に応答して、前記デバイス識別子に対応する前記作動パラメータを取得するスマートホームデバイスと、トリガーコマンドを検出し、検出される前記トリガーコマンドに応答して、前記作動モード設定情報をブロードキャストするように構成されるウェアラブルデバイスと、を備える。
【発明の効果】
【００２６】
本開示の実施形態によれば、その技術的な解決手段は、次のような有利な効果を奏するであろう。
【００２７】
本開示においては、ウェアラブルデバイスが、デバイス識別子を含む作動モード設定情報を送信し、スマートホームデバイスが、デバイス識別子に対応する作動パラメータを取得し、作動パラメータに基づいて作動する。本開示においては、スマートデバイスは、ウェアラブルデバイスのデバイス識別子が検出されれば、対応する作動パラメータに基づいて自動的に作動しても良い。そうすると、ユーザは、スマートデバイスの作動モードを頻繁に手動で調整する必要がないので、ユーザに利便性をもたらす。
【００２８】
本開示においては、作動パラメータは、予め設定される関連関係テーブルから取得されるので、実装が容易になるとともに、ウェアラブルデバイスによって送信される作動モード設定情報は、デバイス識別子だけを含めば良いので、ウェアラブルデバイスの資源消費が削減される。
【００２９】
本開示におけるスマートホームデバイスは、前もってウェアラブルデバイスと関連関係を構築し、関係付けられるウェアラブルデバイスのデバイス識別子及び作動パラメータを関連関係テーブルに保存するので、実装が容易であるとともに、ウェアラブルデバイスによって送信される作動モード設定情報はデバイス識別子だけを伝送すれば良いので、ウェアラブルデバイスの資源消費が削減される。
【００３０】
本開示におけるスマートホームデバイスは、作動モード設定情報を受信するとすぐに、デバイス識別子及び作動パラメータを直接的に解析するので、ウェアラブルデバイスに対応する作動パラメータを迅速に決定し、作業効率を高めることができる。
【００３１】
本開示においては、デバイス識別子に対応する作動パラメータが取得される前に、ウェアラブルデバイスがデバイスに基づいて関係付けられたデバイスであることが最初に決定されるので、スマートホームデバイスのセキュリティ性が高まる。
【００３２】
本開示においては、対応する作動パラメータは、ウェアラブルデバイスが近い範囲内に存在することが決定された後に更に取得されるので、スマートホームデバイスの作動についての柔軟な制御を容易にし、ユーザに利便性をもたらす。
【００３３】
本開示におけるウェアラブルデバイスは、ユーザからトリガーコマンドを受信するとすぐに、デバイス識別子を含む作動モード設定情報を自動的に送信する。その作動モード設定情報は、デバイス識別子に対応する作動パラメータに基づいて作動するようにスマートホームデバイスを示す。本開示においては、ユーザはスマートデバイスの作動モードを頻繁に手動で調整する必要がないので、ユーザに利便性をもたらす。
【００３４】
本開示においては、作動モード設定情報は、ユーザが簡単な操作を実行すれば、スマートホームデバイスを制御するために、ウェアラブルデバイスによって迅速に送信されるので、実装が容易になるとともに、ユーザに利便性をもたらす。
【００３５】
本開示においては、ウェアラブルデバイスの作動モード設定情報は、予め設定される作動パラメータも伝送するので、スマートホームデバイスは、作動モード設定情報を受信するとすぐに、デバイス識別子及び作動パラメータを直接的に解析する。そうすると、ウェアラブルデバイスに対応する作動パラメータを迅速に決定し、作業効率を高めることができる。
【００３６】
前述の一般的な説明及び後述する詳細な説明の両方とも典型的かつ説明的なものに過ぎず、本開示を限定するものではないと理解されるべきである。
【図面の簡単な説明】
【００３７】
本開示に取り入れられ、詳細な説明とともに本開示の一部を構成する添付の図面は、本発明に合致する実施形態を例示し、詳細な説明とともに本発明の原理を説明するためのものである。
【００３８】
【図１】本開示が適用される例示的な実施形態に係るデバイス制御方法における応用場面を示す概略図である。
【００３９】
【図２Ａ】本開示の例示的な実施形態に係るデバイス制御方法のフローチャートである。
【００４０】
【図２Ｂ】本開示の例示的な実施形態に係るスマート端末におけるスマートホームアプリケーションの概要図である。
【００４１】
【図３】本開示の例示的な実施形態に係るデバイス制御方法のフローチャートである。
【００４２】
【図４】本開示の例示的な実施形態に係るデバイス制御装置のブロック図である。
【００４３】
【図５】本開示の例示的な実施形態に係る他のデバイス制御装置のブロック図である。
【００４４】
【図６】本開示の例示的な実施形態に係る他のデバイス制御装置のブロック図である。
【００４５】
【図７】本開示の例示的な実施形態に係る他のデバイス制御装置のブロック図である。
【００４６】
【図８】本開示の例示的な実施形態に係るデバイス制御装置のブロック図である。
【発明を実施するための形態】
【００４７】
符号は、添付の図面に図示される典型的な実施形態や実施例に対して詳細に付与される。以下の詳細な説明で参照する添付の図面では、特に示さない限り、異なる図面において同じ番号は同じ要素又は類似の要素を意味する。以下の典型的な実施形態の詳細な説明において明らかにされる実装は、本開示の記載と合致する全ての実装を表すものではない。むしろ、それらは、添付の特許請求の範囲において列挙されるように、本開示に関連する観点と一致する装置及び方法の単なる一例に過ぎない。
【００４８】
本開示の詳細な説明において使用される用語は、具体的な実施形態を説明する目的だけであり、本開示を限定するものと解釈されるべきではない。本開示の詳細な説明や添付される請求項において用いられるように、明らかに別途前後関係で示されない限り、「ａ」（＝ある）や「ｔｈｅ」（＝前記、その）といった単数形は複数形を含むことを意味する。また、ここで使われるように、「ａｎｄ／ｏｒ」（＝及び／又は）という用語は、一つ以上に関係付けられ、リスト化された項目のうちのいずれか一つ、及び可能性がある全ての組み合わせを表し、それらを含むものと解釈されるべきである。
【００４９】
「ｆｉｒｓｔ」（＝第１の）、「ｓｅｃｏｎｄ」（＝第２の）及び「ｔｈｉｒｄ」（＝第３の）といった用語は、ここでは様々な情報を説明するために用いられるものであり、その情報がこれらの用語によって限定されないと解釈されるべきである。これらの用語は、単に、同じ種類の情報を互いに区別するために用いられる。例えば、本開示の範囲を逸脱しない範囲で、第１の情報は、第２の情報と呼ばれるかもしれないし、同様に、第２の情報は第１の情報と呼ばれるかもしれない。ここで使われるように、「ｉｆ」（＝もし〜）という用語は、文脈に従うと、「ｗｈｅｎ」（＝〜する時）、「ｕｐｏｎ」（＝〜の際）、又は「ｉｎ  ｒｅｓｐｏｎｓｅ  ｔｏ  ｄｅｔｅｒｍｉｎｉｎｇ」（＝決定することに応答して）といった意味に解釈されるかもしれない。
【００５０】
本開示の実施形態に係るデバイス制御方法は、スマートホームデバイスの作動パラメータを調整するために適用されても良い。スマートホームデバイスは、スマートエアコン、スマート加湿器及びスマート空気清浄器を含んでも良い。作動パラメータは、スマートホームデバイスに対応する。例えば、スマートエアコンの作動パラメータは、モードパラメータ（冷房モード、暖房モード、除湿モード等）、温度、風速、及び風向きを含み、スマート加湿器の作動パラメータは、湿気強度等を含み、スマート空気清浄器の作動パラメータは、風量の大きさ等を含む。本開示の実施形態に係るデバイス制御方法は、ユーザによって設定される作動パラメータに基づいてスマートホームデバイスの自動運転を実現する方法を説明する。
【００５１】
前述の目的を実現するために、本開示の実施形態は、デバイス制御方法が適用される適用場面を提供する。図１の例を参照すると、ユーザによって設定される作動パラメータに基づいて自動運転を実現しようとするならば、ユーザのウェアラブルデバイスのデバイス識別子を取得し、デバイス識別子に対応する作動パラメータを取得することが必要である。このような方法で、作動パラメータに基づいて自動的に作動することができる。
【００５２】
原理に基づくと、図１は、作動モード設定情報を送信するために用いられるウェアラブルデバイスを含む。この実施形態は、作動モード設定情報を送信するスマートブレスレットを例示する。実際の適用に際しては、ウェアラブルデバイスは、ユーザによって着用可能なスマート帽子、スマート時計、スマート靴又はスマート指輪のように、通信機能が搭載された携帯用のスマートデバイスであれば良い。図１は、更に、スマートホームデバイスを含む。この実施形態は、スマートエアコンや、加湿器のような他のホームデバイスも実行できることを例示する。スマートホームデバイスは、ウェアラブルデバイスによって送信される作動モード設定情報を受信し、対応する作動パラメータに基づいて自動的に作動するために用いられる。ウェアラブルデバイスとスマートホームデバイスは、bluetooth（登録商標）モジュール、又はＷｉＦｉネットワークモジュールのような通信部を有しても良い。そして、ウェアラブルデバイスとスマートホームデバイスは、通信部を介して互いに通信を行っても良い。
【００５３】
図２Ａは、本開示の例示的な実施形態に係るデバイス制御方法のフローチャートである。図２Ａに示されるように、デバイス制御方法は、図１におけるスマートホームデバイスに適用され、次に示すステップを含んでも良い。
【００５４】
ステップ２０１では、ウェアラブルデバイスによってブロードキャストされる作動モード設定情報が受信される。作動モード設定情報は、ウェアラブルデバイスに対応するデバイス識別子を含む。
【００５５】
本開示のこの実施形態では、スマートエアコン及びスマートブレスレットのそれぞれに、通信部が装備されていても良い。例示的な実施形態として、通信部は、bluetooth（登録商標）でも良い。スマートブレスレットは、周囲に作動モード設定情報をブロードキャストしても良い。そして、特定の距離の範囲内では、スマートエアコンは、作動モード設定情報を受信し、その情報を解析することによって、スマートブレスレットに対応するデバイス識別子を取得しても良い。
【００５６】
デバイス識別子は、ウェアラブルデバイスを識別することが可能な識別情報であり、作動モード設定情報で伝送されれば良く、例えば、ウェアラブルデバイスのシリアルナンバー、ウェアラブルデバイスのＩＤ、デバイスの名前又はその情報のＭＡＣ（Media Access Control）アドレスのように、ウェアラブルデバイスを一意に識別することができれば良く、ここでは限定されるものではない。
【００５７】
ステップ２０２において、デバイス識別子に対応する作動パラメータが取得される。
【００５８】
スマートホームデバイスは、ウェアラブルデバイスによってブロードキャストされる作動パラメータ設定情報を受信した後、作動パラメータ設定情報で伝送されるデバイス識別子に基づいて、ウェラブルデバイスに対応する作動パラメータを決定しても良い。
【００５９】
以下の方式のいずれか一つで、デバイス識別子に対応する作動パラメータを取得することが可能である。
【００６０】
第１の方式：デバイス識別子に対応する作動パラメータは、関係付けられるウェアラブルデバイスのデバイス識別子と作動パラメータとの対応が記録されている既定の関連関係テーブルから取得される。
【００６１】
この実施形態では、関連関係テーブルは、前もって作成される。そして、全ての関係付けられるウェアラブルデバイスのデバイス識別子と作動パラメータの対応は、関連関係テーブルに記録される。スマートブレスレットによって送信される作動モード設定情報は、デバイス識別子のみを伝送しても良く、スマートエアコンは、対応する作動パラメータを取得するために、デバイス識別子に基づいて関連関係テーブルを検索しても良い。
【００６２】
前述の実施形態に関しては、作動パラメータは、既定の関連関係テーブルを使用することによって取得されるので、容易に実装できる。更に、ウェラブルデバイスによって送信される作動モード設定情報は、デバイス識別子のみを伝送すれば良いので、ウェアラブルデバイスの資源消費が削減される。
【００６３】
関連関係テーブルは、ウェアラブルデバイスと関連関係を構築するステップと、関係付けられるウェアラブルデバイスのデバイス識別子と作動パラメータを取得するステップと、関連関係テーブルにデバイス識別子と作動パラメータを保存するステップと、において取得されても良い。
【００６４】
この実施形態では、ウェアラブルデバイスと関連関係を構築するために、スマート端末が、ウェアラブルデバイスとスマートホームデバイスの関連関係を構築するために用いられるか、又は、ウェアラブルデバイスとスマートホームデバイスが、直接的に自らの関連関係を構築するようにしても良い。次に示す複数の実施形態は、それぞれ、関連関係を構築するための２つの手法を説明する。
【００６５】
第１の手法：スマート端末は、ウェアラブルデバイスとスマートホームデバイスの関連関係を構築するために用いられる。
【００６６】
この本開示の実施形態では、スマート端末は、スマートフォン、タブレットコンピュータ、ＰＤＡ（Personal Digital Assistant）、電子書籍リーダ、マルチメディアプレーヤ等でも良い。通常、ユーザが、ウェアラブルデバイスとスマートホームデバイスの関連関係を構築するためにスマート端末を用いる時、この処理はスマート端末にインストールされるクライアントソフトウェアによって実現される。例えば、ある実装では、クライアントソフトウェアは、「スマートホーム」アプリケーションでも良く、ユーザは、そのアプリケーションを介して、家庭環境におけるスマートホームデバイスとウェアラブルデバイスのそれぞれの結合関係を構築することによって、対応する使用許可を取得するようにしても良い。結合関係が構築された後、ユーザは、スマートホームデバイスとウェアラブルデバイスの集中的な管理及び制御のためのアプリケーションを用いても良い。
【００６７】
例えば、スマート端末におけるスマートホームアプリケーションの概要図である図２Ｂに示されるように、ユーザは、スマートエアコンＡと２つのスマートブレスレット（スマートブレスレットＡ及びスマートブレスレットＢ）との関連関係を構築する。ユーザは、アプリケーションを介して、スマートブレスレットＡ及びＢにエアコンＡを関係付けて、それぞれのスマートブレスレットに対して、対応する作動パラメータ（例えば、エアコンの温度、モード及び風速）を設定しても良い。
【００６８】
関係づけが完了した後、エアコンＡに関連付けられた２つのスマートブレスレットに対して、スマート端末は、スマートブレスレットＡ及びＢのデバイス識別子と、エアコンＡについて各々のスマートブレスレットに対して設定される作動パラメータを送信しても良い。そして、エアコンＡは、上記の情報を受信し、関連関係テーブルに保存する。
【００６９】
スマート端末は、スマートエアコンにスマートブレスレットのデバイス識別子と作動パラメータの両方を送信しても良い。そうすると、スマートブレスレットは、作動モード設定情報を送信する時、作動モード設定情報の中の自分自身のデバイス識別子を伝送し、スマートエアコンが、スマートブレスレットのデバイス識別子を含む作動モード設定情報を受信した後、関連関係テーブルを検索し、対応する作動パラメータを見つけ出す。
【００７０】
第２の手法：ウェアラブルデバイスとスマートホームデバイスは、直接お互いの関係を構築しても良い。
【００７１】
この本開示の実施形態では、ウェアラブルデバイスは、例えば、Bluetooth（登録商標）通信部又はＮＦＣ（Near Field Communication）部を介して、スマートホームデバイスとペアになっても良い。
【００７２】
例えば、スマートエアコンに対して、遠隔制御において設定されるペアオプションを利用しても良い。ユーザがペアオプションを選択した後、ペア結合の主デバイスとしてのスマートエアコンが、従デバイスとしてのウェアラブルデバイスに対してペア結合を構築し始める。ペア結合の間、スマートエアコンとウェアラブルデバイスの両方がBluetooth（登録商標）機能を開放する。そうすると、スマートエアコンは、ウェアラブルデバイスのペア情報を検索し、ウェアラブルデバイスは、Bluetooth（登録商標）を介して、自分自身のデバイス識別子をブロードキャストする。スマートエアコンは、スマートブレスレットによって送信されるデバイス識別子を見つけ出した後、デバイス識別子を記憶し、ペア処理が完了する。
【００７３】
Bluetooth（登録商標）ペアリングが成功した後、ユーザは、遠隔制御を介して、ブレスレットに対して対応する作動パラメータを設定し、スマートエアコンは、関連関係テーブルにデバイス識別子と作動パラメータを保存するようにしても良い。それゆえ、スマートブレスレットは、情報を送信する時、作動モード設定情報の中で自分自身のデバイス識別子を伝送し、スマートエアコンは、スマートブレスレットのデバイス識別子を含む作動モード設定情報を受信した後、関連関係テーブルを検索し、対応する作動パラメータを見つけ出しても良い。
【００７４】
前述の実施形態において、スマートホームデバイスは、前もってウェアラブルデバイスと関連関係を構築し、関係付けられたウェアラブルデバイスのデバイス識別子と作動パラメータを関連関係テーブルに保存しても良い。そうすると、実装が容易であるとともに、ウェアラブルデバイスによって送信される作動モード設定情報は、デバイス識別子のみを含んでいれば良く、ウェアラブルデバイスの資源消費が削減される。
【００７５】
第２の方式：デバイス識別子に対応する作動パラメータは、作動モード設定情報から取得される。
【００７６】
この実施形態では、ウェアラブルデバイスの作動モード設定情報は、ユーザによって予め設定される作動パラメータと同様に、自分自身のデバイス識別子を伝送するようにしても良い。ウェアラブルデバイスにおいて予め設定される作動パラメータは、第１の方式において説明されるようにウェラブルデバイスとスマートホームデバイスの間に関連関係が構築された後、保存のためにウェラブルデバイスにスマート端末によって送信されても良いし、保存のためにウェラブルデバイスにスマートホームデバイスによって送信されても良い。
【００７７】
前述の実施形態によれば、スマートホームデバイスは、作動モード設定情報を受信するとすぐに、直接的にデバイス識別子と作動パラメータを解析する。従って、ウェアラブルデバイスに対応する作動パラメータを即座に決定し、作業効率を高めることが可能である。
【００７８】
ある他の実装では、デバイス識別子に対応する作動パラメータを取得するステップは、ウェアラブルデバイスがデバイス識別子に基づいて関係付けられたデバイスであることの決定に応答して、デバイス識別子に対応する作動パラメータを取得するステップを含む。
【００７９】
この本開示の実施形態において、ウェアラブルデバイスがデバイス識別子に基づいて関係付けられたデバイスであるか否かを判定することが可能である。もしウェアバルブデバイスが関係づけられたデバイスとして決定されたならば、ウェアラブルデバイスが、作動のためにウェアラブルデバイスに対応する作動パラメータを更に取得するスマートホームデバイスを制御するための権限を持つことを意味する。もしウェアラブルデバイスが関係づけられたデバイスではないならば、ウェアラブルデバイスが制御権限を持たないことを意味する。
【００８０】
前述の実施形態によれば、デバイス識別子に対応する作動パラメータが取得される前に、最初にウェアラブルデバイスがデバイス識別子に基づいて関係付けられたデバイスであることが決定されるので、スマートホームデバイスのセキュリティ性が高まる。
【００８１】
ある他の実装では、デバイス識別子に対応する作動パラメータを取得するステップは、ウェアラブルデバイスが予め定められた範囲内に位置することの決定に応答して、デバイス識別子に対応する作動パラメータを取得するステップを含む。
【００８２】
この本開示の実施形態では、ウェアラブルデバイスからスマートホームデバイスまでの距離を決定することが可能である。もしその距離が予め定められた範囲を超えて離れているならば、そのウェアラブルデバイスは無視され、スマートホームデバイスから短い距離のウェアラブルデバイスだけが考慮される。予め定められる範囲は、半径３メートル以内、又は半径５メートル以内でも良いし、実際の使用における要件に応じて柔軟に調整されても良く、ここでは限定されるものではない。
【００８３】
ウェアラブルデバイスが予め定められた範囲内に位置することの決定に応答してデバイス識別子に対応する作動パラメータを取得する前に、作動モード設定情報を受信する時、受信信号強度（ＲＳＳＩ：Received Signal Strength Indication）が取得されるであろう。受信信号強度（ＲＳＳＩ）が予め定められた強度の閾値よりも高いことの決定に応答して、ウェアラブルデバイスが予め定められた範囲内であることが決定されても良い。
【００８４】
この本開示の実施形態において、受信信号強度（ＲＳＳＩ）は、ウェアラブルデバイスによって送信される作動モード設定情報が受信される時に取得されても良い。もしその強度が高いならば、ウェアラブルデバイスがスマートホームデバイスに近いことが決定されても良い。もしその強度が低いならば、ウェアラブルデバイスがスマートホームデバイスから離れていることが決定されても良い。実用においては、その強度の閾値は、要件に応じて当業者によって柔軟に設定されても良い。
【００８５】
デバイス識別子に対応する優先度及び作動パラメータを取得するための２つの実装（それぞれのウェアラブルデバイスが関係づけられたウェアラブルデバイスであるか否かの決定、及びそれぞれのウェアラブルデバイスが予め定められた範囲内に位置することの決定）は、実用においては、個別に実行されても良いし、並行して実行されても良いし、同時に実行されても良いことに留意すべきである。２つの実装が同時に実行される時は、実行順が調整されても良い。すなわち、それぞれのウェアラブルデバイスが関係づけられたウェアラブルデバイスであるか否かを決定するステップは、それぞれのウェアラブルデバイスが予め定められた範囲内に位置するか否かを決定するステップの前でも良いし、後でも良い。
【００８６】
前述の実施形態によれば、対応する作動パラメータは、ウェアラブルデバイスが近い範囲内にいることが決定された後に更に取得されるので、スマートホームデバイスの作動についての柔軟な制御を容易にし、ユーザに利便性をもたらす。
【００８７】
ステップ２０３において、作動パラメータに基づいて作動が実行される。
【００８８】
スマートホームデバイスは、デバイス識別子に対応する作動パラメータを取得するとすぐに、作動パラメータに基づいて作動しても良い。前述の実施形態によれば、スマートホームデバイスは、ウェアラブルデバイスのデバイス識別子が検出されれば、対応する作動パラメータに基づいて自動的に作動しても良い。そうすることによって、ユーザが頻繁にスマートホームデバイスの作動モードを手動で調整する必要がないので、ユーザに利便性をもたらす。
【００８９】
図３は、本開示の例示的な実施形態に係るデバイス制御方法のフローチャートである。図３に示すように、デバイス制御方法は、図１におけるウェアラブルデバイスに適用され、次に示すステップを含んでも良い。
【００９０】
ステップ３０１において、トリガーコマンドが検出される。
【００９１】
ユーザがスマートホームデバイスを調整する必要があり、ユーザによって予め設定される作動パラメータに基づいてスマートホームデバイスが作動させられる時、ユーザは、ユーザが携帯しているウェアラブルデバイスにトリガーコマンドを入力しても良い。そうすると、ウェアラブルデバイスは、トリガーコマンドを検出した後、スマートホームデバイスに作動モード設定情報を送信する。
【００９２】
ステップ３０２において、トリガーコマンドが検出されることに応答して、ウェアラブルデバイスのデバイス識別子を含む作動モード設定情報がブロードキャストされる。その作動モード設定情報は、デバイス識別子に対応する作動パラメータに基づいて作動するようにスマートホームデバイスを示す。
【００９３】
検出されるトリガーコマンドに対する応答は、ウェラブルデバイスが予め設定される回数だけタップされることの検出に対する応答、又はウェアラブルデバイスが予め設定される回数だけ振られることの検出に対する応答を含む。
【００９４】
例えば、ユーザがウェラブルデバイスを２回タップする、又はウェアブルデバイスを３回振ると、トリガーコマンドが受信されたことが確認され、ウェラブルデバイスのデバイス識別子を含む予め設定される作動モード設定情報がブロードキャストされる。そして、スマートホームデバイスは、作動モード設定情報を受信した後、デバイス識別子に対応する作動パラメータに基づいて作動する。
【００９５】
前述の実施形態において、作動モード設定情報は、ユーザが簡単な操作を実行しさえすれば、スマートホームデバイスを制御するために、ウェアラブルデバイスによって迅速に送信されるので、実装が容易になるとともに、ユーザに利便性をもたらす。
【００９６】
この本開示の実施形態では、ウェアラブルデバイスは、ユーザのトリガーコマンドを受信した後、デバイス識別子を含む作動モード設定情報を自動的に送信し、作動モード設定情報を介して、デバイス識別子に対応する作動パラメータに基づいて作動するようにスマートホームデバイスを示す。この実施形態では、ユーザはスマートデバイスの作動モードを頻繁に手動で調整する必要がないので、ユーザに利便性をもたらす。
【００９７】
ある他の実装では、作動モード設定情報は、更に、デバイス識別子に対応する作動パラメータを含む。
【００９８】
この実施形態では、ウェアラブルデバイスの作動モード設定情報は、自分自身のデバイス識別子と予め設定される作動パラメータを伝送しても良い。ウェアラブルデバイスは、前もってスマートホームデバイスと関連関係を構築し、関連関係が構築された後、保存のために、スマート端末又はスマートホームデバイスによって送信される作動パラメータを受信しても良い。
【００９９】
前述の実施形態によれば、ウェアラブルデバイスの作動モード設定情報は、予め設定される作動パラメータも伝送するので、スマートホームデバイスは、作動モード設定情報を受信するとすぐに、デバイス識別子と作動パラメータを直接的に解析することができる。そうすると、ウェアラブルデバイスに対応する作動パラメータを迅速に決定し、作業効率を高めることが可能となる。
【０１００】
図４は、本開示の例示的な実施形態に係るデバイス制御装置のブロック図である。図４に示されるように、デバイス制御装置は、受信ユニット４１０、取得ユニット４２０及び作動ユニット４３０を含む。
【０１０１】
受信ユニット４１０は、ウェアラブルデバイスによってブロードキャストされる、ウェアラブルデバイスに対応するデバイス識別子を有する作動モード設定情報を受信するように構成される。
【０１０２】
取得ユニット４２０は、受信ユニット４１０によって受信されるデバイス識別子に対応する作動パラメータを取得するように構成される。
【０１０３】
作動ユニット４３０は、取得ユニット４２０によって取得される作動パラメータに基づいて作動するように構成される。
【０１０４】
前述の実施形態によれば、ウェアラブルデバイスが、デバイス識別子を含む作動モード設定情報を送信すると、スマートホームデバイスが、デバイス識別子に対応する作動パラメータを取得し、作動パラメータに基づいて作動する。本開示においては、スマートデバイスは、ウェアラブルデバイスのデバイス識別子が検出されれば、対応する作動パラメータに基づいて自動的に作動しても良い。そうすると、ユーザは、スマートデバイスの作動モードを頻繁に手動で調整する必要がないので、ユーザに利便性をもたらす。
【０１０５】
図５は、本開示の例示的な実施形態に係る他のデバイス制御装置のブロック図である。図５に示されるように、図４に示される実施形態を踏まえ、取得ユニット４２０は、関連付けられたウェアラブルデバイスのデバイス識別子と作動パラメータとの間の対応を記録している予め設定される関連関係テーブルから、受信ユニット４１０によって受信されるデバイス識別子に対応する作動パラメータを取得するように構成される第１取得サブユニット４２１を含む。
【０１０６】
本開示における前述の実施形態によれば、作動パラメータは、予め設定される関連関係テーブルから取得されるので、実装が容易になるとともに、ウェアラブルデバイスによって送信される作動モード設定情報は、デバイス識別子だけを含めば良いので、ウェアラブルデバイスの資源消費が削減される。
【０１０７】
ある実施形態において、取得ユニット４２０は、更に、構築サブユニット４２２及び保存サブユニット４２３を含む。
【０１０８】
構築サブユニット４２２は、ウェアラブルデバイスと関連関係を構築するように構成される。
【０１０９】
保存サブユニット４２３は、構築サブユニット４２２において関係付けられるウェアラブルデバイスのデバイス識別子及び作動パラメータを取得し、関連関係テーブルにデバイス識別子及び作動パラメータを保存するように構成される。
【０１１０】
前述の実施形態によれば、本開示におけるスマートホームデバイスは、前もってウェアラブルデバイスと関連関係を構築し、関係付けられるウェアラブルデバイスのデバイス識別子及び作動パラメータを関連関係テーブルに保存するので、実装が容易であるとともに、ウェアラブルデバイスによって送信される作動モード設定情報はデバイス識別子だけを伝送すれば良いので、ウェアラブルデバイスの資源消費が削減される。
【０１１１】
ある実施形態において、取得ユニット４２０は、受信ユニット４１０によって受信される作動モード設定情報から、デバイス識別子に対応する作動パラメータを取得するように構成される第２取得サブユニット４２４を更に含む。
【０１１２】
前述の実施形態によれば、本開示におけるスマートホームデバイスは、作動モード設定情報を受信するとすぐに、デバイス識別子及び作動パラメータを直接的に解析するので、ウェアラブルデバイスに対応する作動パラメータを迅速に決定し、作業効率を高めることができる。
【０１１３】
ある実施形態において、取得ユニット４２０は、ウェアラブルデバイスが、受信ユニット４１０によって受信されるデバイス識別子に基づいて関係付けられたデバイスであることの決定に応答して、デバイス識別子に対応する作動パラメータを取得するように構成される第３取得サブユニット４２５を更に含む。
【０１１４】
本開示における前述の実施形態によれば、デバイス識別子に対応する作動パラメータが取得される前に、ウェアラブルデバイスがデバイスに基づいて関係付けられたデバイスであることが最初に決定されるので、スマートホームデバイスのセキュリティ性が高まる。
【０１１５】
ある実施形態では、取得ユニット４２０は、ウェアラブルデバイスが予め設定される範囲内に位置することの決定に応答して、受信ユニット４１０によって受信されるデバイス識別子に対応する作動パラメータを取得するように構成される第４取得ユニット４２６を更に含む。
【０１１６】
前述の実施形態によれば、対応する作動パラメータは、ウェアラブルデバイスが近い範囲内に存在することが決定された後に更に取得されるので、スマートホームデバイスの作動についての柔軟な制御を容易にし、ユーザに利便性をもたらす。
【０１１７】
図６は、本開示の例示的な実施形態に係る他のデバイス制御装置のブロック図である。図６に示されるように、デバイス制御装置は、検出ユニット６１０及びブロードキャストユニット６２０を含む。
【０１１８】
検出ユニット６１０は、トリガーコマンドを検出するように構成される。
【０１１９】
ブロードキャストユニット６２０は、検出ユニット６１０によって検出されるトリガーコマンドに応答して、ウェアラブルデバイスのデバイス識別子を有する作動モード設定情報をブロードキャストするように構成される。その作動モード設定情報は、デバイス識別子に対応する作動パラメータに基づいて作動するようにスマートホームデバイスを示す。
【０１２０】
前述の実施形態によれば、本開示におけるウェアラブルデバイスは、ユーザからトリガーコマンドを受信するとすぐに、デバイス識別子を含む作動モード設定情報を自動的に送信する。その作動モード設定情報は、デバイス識別子に対応する作動パラメータに基づいて作動するようにスマートホームデバイスを示す。本開示においては、ユーザはスマートデバイスの作動モードを頻繁に手動で調整する必要がないので、ユーザに利便性をもたらす。
【０１２１】
図７は、本開示の例示的な実施形態に係る他のデバイス制御装置のブロック図である。図７に示されるように、図６に示される実施形態を踏まえ、ブロードキャストユニット６２０は、第１応答サブユニット６２１及び第２応答サブユニット６２２のいずれか一つを含む。説明のために、図７には上記の二つのサブユニットの両方が示されている。
【０１２２】
第１応答サブユニット６２１は、ウェアラブルデバイスが予め設定される回数だけタップされることの検出に応答するように構成される。
【０１２３】
第２応答サブユニット６２２は、ウェアラブルデバイスが予め設定される回数だけ振られることの検出に応答するように構成される。
【０１２４】
前述の実施形態によれば、作動モード設定情報は、ユーザが簡単な操作を実行すれば、スマートホームデバイスを制御するために、ウェアラブルデバイスによって迅速に送信されるので、実装が容易になるとともに、ユーザに利便性をもたらす。
【０１２５】
ある実施形態では、作動モード設定情報は、デバイス識別子に対応する作動パラメータを更に含む。
【０１２６】
前述の実施形態によれば、ウェアラブルデバイスの作動モード設定情報は、予め設定される作動パラメータも伝送するので、スマートホームデバイスは、作動モード設定情報を受信するとすぐに、デバイス識別子及び作動パラメータを直接的に解析する。そうすると、ウェアラブルデバイスに対応する作動パラメータを迅速に決定し、作業効率を高めることができる。
【０１２７】
以上から、本開示は、ある装置を更に提供する。その装置は、プロセッサと、プロセッサによって実行される命令を保存するように構成されるメモリと、を備える。プロセッサは、ウェアラブルデバイスによってブロードキャストされる、ウェアラブルデバイスに対応するデバイス識別子を有する作動モード設定情報を受信し、デバイス識別子に対応する作動パラメータを取得し、作動パラメータに基づいて作動するように構成される。
【０１２８】
また、本開示は、ある装置を更に提供する。その装置は、プロセッサと、プロセッサによって実行される命令を保存するように構成されるメモリと、を備える。プロセッサは、トリガーコマンドを検出し、検出されるトリガーコマンドに応答して、ウェアラブルデバイスのデバイス識別子を有する作動モード設定情報をブロードキャストするように構成される。その作動モード設定情報は、デバイス識別子に対応する作動パラメータに基づいて作動するようにスマートホームデバイスを示す。
【０１２９】
また、本開示は、あるデバイス制御システムを更に提供する。そのデバイス制御システムは、ウェアラブルデバイスによってブロードキャストされる、ウェアラブルデバイスに対応するデバイス識別子を含む作動モード設定情報を受信し、デバイス識別子に対応する作動パラメータを取得し、作動パラメータに基づいて作動するように構成されるスマートホームデバイスと、トリガーコマンドを検出し、検出されるトリガーコマンドに応答して、作動モード設定情報をブロードキャストするように構成されるウェアラブルデバイスと、を備える。
【０１３０】
前述の実施形態におけるデバイス制御装置に関しては、個々のユニットに対する機能及び動作の実行のための特定の方法が、デバイス制御方法に関する実施形態において詳細に説明されたので、ここでは詳細な説明を加えない。
【０１３１】
デバイス制御装置の実施形態は、実質的にデバイス制御方法に対応しているので、デバイス制御方法の説明の関連部分が参照されるであろう。前述されたデバイス制御装置の実施形態は、典型的なものだけであり、分離された構成要素として説明されたユニットは、物理的に分離されていても良いし、そうでなくても良い。表示ユニットとしての構成要素は、物理的なユニットでも良いし、そうでなくても良い、すなわち、１つの場所に設けられても良いし、多くのネットワークの要素に配置されても良い。本開示の目的を実現するために、モジュールの一部を選択することもできるし、全てを選択することもできる。こうしたことは、より創造的な努力を要することなく、当業者によって理解され、実装されるであろう。
【０１３２】
図８は、本開示の例示的な実施形態に係るデバイス制御装置８００のブロック図である。例えば、デバイス制御装置８００は、携帯電話、コンピュータ、デジタル放送端末、メッセージ送受信装置、ゲームコントローラ、タブレット機器、医療機器、フィットネス装置及びＰＤＡ（Personal Digital Assistant）でも良い。
【０１３３】
図８を参照すると、デバイス制御装置８００は、以下の１つ以上の構成要素を含んでも良い。その構成要素は、処理部８０２、メモリ８０４、電源部８０６、マルチメディア部８０８、オーディオ部８１０，入出力（Ｉ／Ｏ）インタフェース部８１２、センサ部８１４、及び通信部８１６である。
【０１３４】
処理部８０２は、一般的に、表示、電話呼出し、データ通信、カメラ操作及び記録操作に関連付けられる操作のように、デバイス制御装置８００全体の動作を制御する。処理部８０２は、前述した方法における全て又は一部のステップを行うための命令を実行するために、１つ以上のプロセッサ８２０を含んでも良い。更に、処理部８０２は、処理部８０２と他の構成要素との間のインタフェースを容易にするための１つ以上のモジュールを含んでも良い。例えば、処理部８０２は、マルチメディア部８０８と処理部８０２との間のインタフェースを容易にするためのマルチメディアモジュールを含んでも良い。
【０１３５】
メモリ８０４は、デバイス制御装置８００の動作を支援するための様々な種類のデータを記憶するように構成される。そのようなデータの例は、デバイス制御装置８００において作動される任意のアプリケーションまたは方法のための命令、連絡先データ、電話帳データ、メッセージ、写真、ビデオ等を含む。メモリ８０４は、スタティックランダムアクセスメモリ（ＳＲＡＭ）、電気的に消去可能なプログラマブル読出専用メモリ（ＥＥＰＲＯＭ）、消去可能なプログラマブル読出専用メモリ（ＥＰＲＯＭ）、プログラマブル読出専用メモリ（ＰＲＯＭ）、読出専用メモリ（ＲＯＭ）、磁気メモリ、フラッシュメモリ、磁気又は光学ディスクのように、揮発性記憶装置或いは不揮発性記憶装置、又はそれらの組合せの任意の種類を用いて実装されても良い。
【０１３６】
電源部８０６は、デバイス制御装置８００の様々な構成要素に電力を供給する。電源部８０６は、電源管理システム、１つ以上の電源、並びにデバイス制御装置８００において電力の生成、制御及び配電と関連する他の構成要素を含んでも良い。
【０１３７】
マルチメディア部８０８は、デバイス制御装置８００とユーザとの間の外部インタフェースを提供するように構成される画面を含む。いくつかの実施形態では、その画面は、液晶ディスプレイ（ＬＣＤ）及びタッチパネル（ＴＰ）を含んでも良い。画面がタッチパネルを含む場合、その画面はユーザから入力信号を受信するタッチ画面として実装されても良い。タッチパネルは、タッチパネル上のタッチ、スワイプ及びジェスチャーを検出するための１つ以上のタッチセンサを含む。タッチセンサは、タッチ又はスワイプ操作の境界を検出するだけでなく、タッチ又はスワイプ操作と関連する期間及び圧力も検出する。いくつかの実施形態では、マルチメディア部８０８は、正面のカメラ及び／又は背面のカメラを含む。正面のカメラ及び背面のカメラは、デバイス制御装置８００が写真撮影モード又はビデオモードのような動作モードの間、外部のマルチメディアデータを受信するようにしても良い。正面のカメラ及び背面のカメラのそれぞれが、固定焦点レンズシステムでも良いし、又はフォーカス及び光学ズーム性能を有しても良い。
【０１３８】
オーディオ部８１０は、オーディオ信号を出力する、及び／又は入力するように構成される。例えば、オーディオ部８１０は、デバイス制御装置８００が電話モード、記録モード及び音声認識モードのような動作モードの時、外部オーディオ信号を受信するように構成されるマイクロフォン（「ＭＩＣ」）を含む。受信されるオーディオ信号は、更にメモリ８０４に保存されても良いし、通信部８１６を介して送信されても良い。いくつかの実施形態では、オーディオ部８１０は、更にオーディオ信号を出力するためのスピーカを含む。
【０１３９】
Ｉ／Ｏインタフェース部８１２は、キーボード、クリックホイール、ボタン等のような処理部８０２及び周辺装置インタフェースモジュールとの間のインタフェースを提供する。ボタンは、これらに限定されるわけではないが、ホームボタン、ボリュームボタン、スタートボタン及びロックボタンを含んでも良い。
【０１４０】
センサ部８１４は、デバイス制御装置８００の様々な面の状態評価を提供するための１つ以上のセンサを含む。例えば、センサ部８１４は、デバイス制御装置８００のオン／オフ状態、構成要素（例えば、デバイス制御装置８００のディスプレイ画面及びキーパッド）の相対位置、デバイス制御装置８００又はデバイス制御装置８００の構成要素の位置の変化、デバイス制御装置８００に対するユーザ接触の存在又は不存在、デバイス制御装置８００の方向又は加速／減速、及びデバイス制御装置８００の温度の変化を検出しても良い。センサ部８１４は、物理的な接触なしに近傍の物体の存在を検出するように構成される主要なセンサを含んでも良い。また、センサ部８１４は、画像アプリケーションの用途のために、ＣＭＯＳ又はＣＣＤ画像センサのような光センサを含んでも良い。いくつかの実施形態では、センサ部８１４は、加速度センサ、ジャイロセンサ、磁気センサ、圧力センサ、又は温度センサを含んでも良い。
【０１４１】
通信部８１６は、デバイス制御装置８００と他の端末との間の有線又は無線の通信を容易にするように構成される。デバイス制御装置８００は、ＷｉＦｉ、２Ｇ或いは３Ｇ、又はそれらの組合せのような通信規格に基づく無線ネットワークにアクセスすることができる。ある例示的な実施形態では、通信部８１６は、放送チャネルを介する外部放送制御システムからの放送信号又は放送関連情報を受信する。ある例示的な実施形態では、通信部８１６は、更に短距離の通信を容易にするための近距離無線通信（ＮＦＣ）モジュールを含む。例えば、ＮＦＣモジュールは、無線ＩＤ（ＲＦＩＤ）技術、赤外線通信規格（ＩｒＤＡ）技術、超広域無線(ＵＷＢ)技術、Bluetooth(登録商標)（ＢＴ）技術、又はその他の技術に基づいて実装されても良い。
【０１４２】
例示的な実施形態では、デバイス制御装置８００は、前述の実現方法を行うために、特定用途向け集積回路（ＡＳＩＣｓ）、デジタルシグナルプロセッサ（ＤＳＰｓ）、デジタルシグナルプロセッシングデバイス（ＤＳＰＤｓ）、プログラマブルロジックデバイス（ＰＬＤｓ）、フィールドプログラマブルゲートアレイ（ＦＰＧＡｓ）、コントローラ、マイクロコントローラ、マイクロプロセッサ、又はそのほかの電子部品の１つ以上によって実装されても良い。
【０１４３】
例示的な実施形態では、前述の方法を行うために、デバイス制御装置８００の中のメモリ８０４に含まれ、プロセッサ８２０によって実行される命令を含む非一時的なコンピュータ読み取り可能な記憶媒体も提供される。例えば、非一時的なコンピュータ読み取り可能な記憶媒体は、ＲＯＭ、ＲＡＭ、ＣＤ−ＲＯＭ、磁気テープ、フロッピー（登録商標）ディスク、光学データ記憶装置等であっても良い。
【０１４４】
非一時的なコンピュータ読み取り可能な記憶媒体は、携帯端末のプロセッサによって実行される時、携帯端末にデバイス制御方法を実行させる命令を保存している。
【０１４５】
本開示の他の実施形態は、明細書の留意事項及びここで開示される発明のプラクティスから当業者によって明らかにされるであろう。この出願は、本開示から出発し、この分野における公知又は周知の範囲内で想到する一般的な原理及び構成に従う本発明の任意の変更、利用、又は改良が含まれる。明細書及び実施例は、後述する請求項によって示される本発明の真の範囲及び意図において、単なる例示として考慮される。
【０１４６】
本発明は、上記に説明され、添付図面において例示される正確な構造、及びその範囲から出発せずになされる様々な修正及び変更に制限されないと解釈して頂ければ幸いである。本発明の範囲は、添付の請求項によってのみ限定されることが意図されている。
【０１４７】
本開示の実施形態の一部は、上記において言及されており、本開示を限定するものと解釈されない。本開示の意図及び原理の範囲内での任意の修正、選択及び修正は、本開示の保護範囲に含まれるべきである。
【図１】
0006360565.tif 000002
【図２Ａ】
0006360565.tif 000003
【図２Ｂ】
0006360565.tif 000004
【図３】
0006360565.tif 000005
【図４】
0006360565.tif 000006
【図５】
0006360565.tif 000007
【図６】
0006360565.tif 000008
【図７】
0006360565.tif 000009
【図８】
0006360565.tif 000010